(57)【要約】【課題】表示パネルの輝度ばらつきの補正を高速に行うことができる。【解決手段】上記課題は、測定画素以外の画素の前記キャパシタが完全に放電していない時の、表示パネルの発光素子の第１の駆動電流を求める第１測定ステップと、測定画素のキャパシタをアナログ電圧に充電する充電ステップと、測定画素のキャパシタがアナログ電圧に充電している時に、表示パネルの発光素子の第２の駆動電流を測定する第２測定ステップと、第１の駆動電流と第２の駆動電流の差から、測定画素の駆動電流を求める駆動電流算出ステップと、駆動電流に基づいて変換データを求めるデータ算出ステップとを有することを特徴とする表示パネルの変換データ決定方法により解決される。【選択図】図１
2005084260.tif 000002
【特許請求の範囲】
【請求項１】
キャパシタと、前記キャパシタの電圧により電流または電圧の制御を行う駆動回路と、前記駆動回路により駆動する自己発光素子とを有する複数の画素をマトリクス状に配置した表示パネルと、
輝度データを変換データに基づいて変換したアナログ電圧を前記キャパシタに与える輝度信号発生手段とを有する表示装置の前記変換データの決定方法であって、
測定画素以外の画素の前記キャパシタが完全に放電していない時の、前記表示パネルの発光素子の第１の駆動電流を求める第１測定ステップと、
前記測定画素のキャパシタを前記アナログ電圧に充電する充電ステップと、
前記測定画素のキャパシタが前記アナログ電圧に充電している時に、前記表示パネルの発光素子の第２の駆動電流を測定する第２測定ステップと、
前記第１の駆動電流と前記第２の駆動電流の差から、前記測定画素の駆動電流を求める駆動電流算出ステップと、
前記駆動電流に基づいて前記変換データを求めるデータ算出ステップと、
を有することを特徴とする表示パネルの変換データ決定方法。
【請求項２】
前記自己発光素子がＥＬ素子であることを特徴とする請求項１記載の変換データ決定方法。
【請求項３】
所定の画素数を測定する毎に前記第１測定ステップを実行するとともに、
前記測定画素の直前および直後に前記第１測定ステップにより実測した駆動電流から補間して、前記測定画素の第１の駆動電流を求めることを特徴とする請求項１または請求項２記載の方法。
【請求項４】
キャパシタと、前記キャパシタの電圧により電流または電圧の制御を行う駆動回路と、前記駆動回路により駆動する自己発光素子とを有する複数の画素をマトリクス状に配置した表示パネルと、
任意の測定画素を選択する選択手段と、
輝度データを変換データに基づいて変換したアナログ電圧を前記キャパシタに与える輝度信号発生手段と、
前記複数の画素の発光素子の駆動電流を測定する測定手段と、
測定画素以外の画素の前記キャパシタが完全に放電していない時の前記複数の画素の前記発光素子の第１の駆動電流と、前記測定画素のキャパシタを前記アナログ電圧に充電した時の前記複数の画素の前記発光素子の第２の駆動電流の差に基づいて、前記変換データを求める変換データ決定手段と、
を有することを特徴とする表示装置。
【請求項５】
キャパシタと、前記キャパシタの電圧により電圧または電流の制御を行う駆動回路と、前記駆動回路により駆動する自己発光素子とを有する複数の画素をマトリクス状に配置した表示パネルの測定装置であって、
任意の測定画素を選択する選択手段と、
輝度データを変換データに基づいて変換したアナログ電圧を前記キャパシタに与える輝度信号発生手段と、
前記複数の画素の発光素子の駆動電流を測定する測定手段と、
測定画素以外の画素の前記キャパシタが完全に放電していない時の前記複数の画素の前記発光素子の第１の駆動電流と、前記測定画素のキャパシタを前記アナログ電圧に充電した時の前記複数の画素の前記発光素子の第２の駆動電流の差に基づいて、前記変換データを求める変換データ決定手段と、
前記変換データを出力する出力手段と、
を有することを特徴とする表示パネルの測定装置。
【請求項６】
キャパシタと、前記キャパシタの電圧により電圧または電流の制御を行う駆動回路と、前記駆動回路により駆動する自己発光素子とを有する複数の画素をマトリクス状に配置した表示パネルと、
輝度データを変換データに基づいて変換したアナログ電圧を前記キャパシタに与える輝度信号発生手段とを有する表示装置の前記変換データの決定方法であって、
測定画素以外の画素の前記キャパシタが完全に放電していない時の、前記表示パネルの第１の発光輝度を求める第１測定ステップと、
前記測定画素のキャパシタを前記アナログ電圧に充電する充電ステップと、
前記測定画素のキャパシタが前記アナログ電圧に充電している時に、前記表示パネルの第２の発光輝度を測定する第２測定ステップと、
前記第１の発光輝度と前記第２の発光輝度の差から、前記測定画素の発光輝度を求める発光輝度算出ステップと、
前記発光輝度に基づいて前記変換データを求めるデータ算出ステップと、
を有することを特徴とする表示パネルの変換データ決定方法。
【請求項７】
ＴＦＴアレイと自己発光素子とを有する表示パネルと、
輝度データを変換データに変換して輝度信号を発生する輝度信号発生手段と、
前記輝度信号により前記自己発光素子を駆動する駆動手段と、
前記ＴＦＴアレイの発光素子の駆動電流および発光輝度のいずれかまたは両方を測定する測定手段とを有する表示パネルの前記変換データの決定方法であって、
測定画素の前記自己発光素子を駆動するステップと、
前記測定画素の駆動電流または発光輝度が定常状態に達する前に前記測定を行うステップと、
前記測定の結果に基づいて前記変換データを決定するステップとを有することを特徴とする表示パネルの変換データ決定方法。
【請求項８】
ＴＦＴアレイと自己発光素子とを有する表示パネルと、
輝度データを変換データに変換して輝度信号を発生する輝度信号発生手段と、
前記輝度信号により前記自己発光素子を駆動する駆動手段と、
前記ＴＦＴアレイの発光素子の駆動電流および発光輝度のいずれかまたは両方を測定する測定手段と、
前記測定の結果に基づいて前記変換データを決定する変換データ決定手段とを有することを特徴とする表示装置。
【発明の詳細な説明】
【技術分野】
【０００１】
本発明は、表示パネルの変換データ決定方法に関し、特に自己発光素子を有するＴＦＴアレイ表示パネルにおける輝度のばらつきを補正する輝度変換データの決定方法、およびこれを利用した表示装置に関する。
【背景技術】
【０００２】
フラットテレビ、パソコンのモニタ、携帯電話の表示装置等に使用されるフラット表示パネルには、早い動きの画像に対応可能で、鮮やかな色が再現できることが求められる。このような要求から、近年、応答速度の速い薄膜トランジスタ（ＴＦＴ）アレイと、表示色域が広い有機EL素子など自己発光素子を用いたアクティブ型の表示パネルが注目されている。
【０００３】
自己発光素子とは、素子に流れる電流量に従って光を発生する発光素子である。このような自己発光素子を利用した表示パネルに使用するＴＦＴアレイは、従来の代表的なフラット表示パネルである液晶パネル用のＴＦＴアレイに比べて、格段に大きな電流を流す必要がある。自己発光素子を用いた表示パネル用のＴＦＴアレイに、従来から液晶表示パネルで使用されていたアモルファスシリコン膜を用いると、キャリアの移動度が低いため十分な駆動電流が得られない場合が多い。また、ゲート絶縁膜内のチャージアップにより、ＦＥＴのスレッショルド電圧が経年変化して、各画素の輝度のばらつきが大きくなる。このため、自己発光素子を用いた表示パネルのＴＦＴアレイには、キャリア移動度が高いため高い駆動電流が得やすく、経年変化が小さい低温ポリシリコン膜が用いられることが多い。しかし、低温ポリシリコン膜は、ＦＥＴチャネル領域の結晶の出来具合に依存して各ＦＥＴの電流−電圧特性が１割近く変動する。しかも、かかる変動はパネル内の距離が近いＦＥＴどうしでもばらつきが大きい。すなわち、低温ポリシリコン膜を利用したＴＦＴアレイは、製造時の各画素の輝度のばらつきが大きい。加えて、発光素子自体の発光特性の経年変化も無視できない。特に、EL素子は有機材料を使用しているため、使用温度や駆動電流等の使用条件により経年変化の度合いが大きく異なる。このような発光輝度のばらつきは、画像ムラや色味の変化という表示パネルの欠陥原因となる。
【０００４】
このため、従来、自己発光素子を用いた表示パネルは、製造時や使用時に、適宜、各画素の発光輝度のばらつきの測定を行って補正する必要がある。表示パネルの輝度を測定および補正を行う装置としては、特許文献１に示す装置がある。この装置では、液晶表示パネルの内部または外部に設けたセンサによって、テストパターンを読み取り、表示パネルの光出力特性を測定し補正データを更新する装置である。
また、特許文献２に開示されている技術は、ＥＬ素子の駆動電流を測定してＥＬ表示パネルの欠陥を判定する技術である。すなわち、図１のＥＬ表示パネル１０８ような、画素を選択する画素選択トランジスタ１３１と、キャパシタ１３０と、キャパシタ１３０の電圧に応じた駆動電流を流す駆動トランジスタ１１８と、自己発光素子（ＥＬ素子）１１５により構成されている表示パネルのＴＦＴアレイの画素１１７において、このキャパシタ１３０を充電した時と、完全に放電した後の、発光素子１１５の駆動電流を測定してその差分をとることにより測定画素の正確な駆動電流を求め、表示パネルの欠陥を判定する技術である。
【０００５】
【特許文献１】特開平５−８０１０１号公報
【特許文献２】特開平２００２−４００７４号公報
【発明の開示】
【発明が解決しようとする課題】
【０００６】
上述した方法では、測定画素の駆動電流を測定後、測定画素のキャパシタを完全に放電する、すなわち駆動トランジスタのスレッショルド電圧以下になるまで放電してから、次の画素を測定しなければならないため、連続して画素を測定するためには、画素測定間で相当の時間が必要となる。また、ＥＬ素子自体にも図６の等価回路で示すようなキャパシタンス成分１４３とインピーダンス成分１４１を有するため、駆動電流印加開始から定常状態（駆動電流がほぼ一定となる状態）となるまでには時定数に応じた時間が必要となる。このため、表示パネルのような多数の画素を連続して測定を行うと、非常に時間がかかるという問題がある。
ところで、人間の視覚の特性として、近くの画素どうしの輝度の違いは画像ムラや色味の変化として目に付くが、離れた画素どうしの輝度は多少異なっていても目に付かない。すなわち、輝度ばらつきを補正するためには、近くの画素どうしの相対的な輝度の違いを測定できればよい。このため、輝度ばらつきの補正のためには、絶対的な測定を行う必要はないため、従来よりも簡便で高速な測定方法が求められていた。
【課題を解決するための手段】
【０００７】
本発明は、キャパシタと前記キャパシタの電圧により電流または電圧の制御を行う駆動回路と前記駆動回路により駆動する自己発光素子とを有する複数の画素をマトリクス状に配置した表示パネルと、輝度データを変換データに基づいて変換したアナログ電圧を前記キャパシタに与える輝度信号発生手段とを有する表示装置の変換データ決定方法であって、測定画素以外の画素の前記キャパシタが完全に放電していない時の、前記表示パネルの発光素子の第１の駆動電流を求める第１測定ステップと、前記測定画素のキャパシタを前記アナログ電圧に充電する充電ステップと、前記測定画素のキャパシタが前記アナログ電圧に充電している時に、前記表示パネルの発光素子の第２の駆動電流を測定する第２測定ステップと、前記第１の駆動電流と前記第２の駆動電流の差から、前記測定画素の駆動電流を求める駆動電流算出ステップと、前記駆動電流に基づいて前記変換データを求めるデータ算出ステップとを有することを特徴とする表示パネルの変換データ決定方法により上記課題を解決する。
【０００８】
すなわち、測定画素の測定に先立って表示パネルの発光素子の駆動電流を測定しておき、測定画素を駆動したときの表示パネルの発光素子の駆動電流との差分をとって測定画素の発光画素の駆動電流を求める方法をとることにより、測定前にキャパシタの放電が十分でない画素が表示パネル内に存在していたとしても、かかる画素の駆動電流をキャンセルした測定ができ、画素間の特性のばらつきを高速に測定することが可能となる。さらに、発光素子駆動前の測定を所定画素毎に行い、測定結果から未測定画素の駆動前電流値を補間して求めることにより、さらに高速な測定が可能となる。この場合、各画素の特性にばらつきがあるため、補間によって正確な駆動前電流値を求めることはできないが、放電量に応じて絶対的なばらつきが小さくなるため、近傍画素どうしではばらつきの影響は無視できる。
【０００９】
また、本発明は、ＴＦＴアレイと自己発光素子とを有する表示パネルと、輝度データを変換データに変換して輝度信号を発生する輝度信号発生手段と、前記輝度信号により前記自己発光素子を駆動する駆動手段と、前記ＴＦＴアレイの発光素子の駆動電流および発光輝度のいずれかまたは両方を測定する測定手段とを有する表示パネルの前記変換データの決定方法であって、測定画素の前記自己発光素子を駆動するステップと、前記測定画素の駆動電流が飽和状態に達する前に前記測定を行うステップと、前記測定の結果に基づいて前記変換データを決定するステップとを有することを特徴とする表示パネルの変換データ決定方法により上記課題を解決する。すなわち、測定画素の発光輝度や駆動電流が飽和状態（発光輝度や測定電流が素子駆動時の定常値となること）になる前に測定を行うことにより、さらに高速な測定が可能となる。
【発明の効果】
【００１０】
本発明により、表示パネルの輝度ばらつきの補正を高速に行うことが可能となる。
【実施例】
【００１１】
以下に添付図面を参照して、本発明の好適実施形態となる表示装置について詳細に説明する。なお、本実施例では自己発光素子としてＥＬ素子を使用しているが、本発明はＥＬ表示パネルに限定されるものではなく、発光ダイオードを利用した表示装置などの他の自己発光素子を利用した表示パネルにも使用することができる。
【００１２】
図１は、本発明に係る表示装置の構成概要図を示す。表示装置は、パネルの制御部１００とＥＬ表示パネル１０８からなる。制御部１００は、ＥＬ表示パネル１０８のシフトレジスタ１０９、１１０に接続された選択手段である画素選択回路１０４と、輝度データの外部入力とＥＬ表示パネル１０８の輝度信号線１１２に接続され各画素ごとの変換データを有する輝度信号発生回路１０２と、測定手段である電流計１０１と、電流計１０１を介して共通線１１９に接続された駆動手段である電源１０３と、電流計１０１に接続され情報処理回路とメモリを有する変換データ決定手段であるデータ処理装置１０５によって構成されている。輝度信号発生回路１０２には、図７に示すように、各画素（行番号と列番号で表示）ごとに、小さな輝度に対応する輝度データ１０と大きな輝度に対応する輝度２５０に相当する変換データが格納されている変換テーブルを有する。
【００１３】
また、ＥＬ表示パネル１０８は、マトリクス状に配置された複数の画素１１７と、画素を選択するデータ線１１１およびゲート線１１６と、データ線１１１およびゲート線１１６にそれぞれ接続されたシフトレジスタ１０９、１１０とにより構成される。画素１１７は、データ線１１１およびゲート線１１６に接続された画素選択トランジスタ
Ｑ１  １３１と、画素選択トランジスタ１３１と共通線１１９に接続されたキャパシタＣ１  １３０と、ＥＬ素子１１５と、キャパシタ１３０と画素選択トランジスタ１３１とＥＬ素子１１５に接続された駆動トランジスタＱ２  １１８により構成される。本実施例では、駆動回路として定電流回路を用いているが、電圧制御回路を用いても良い。
【００１４】
次に、図１の表示装置の動作について説明する。表示装置には、通常表示モードと補正モードがある。まず、通常表示モードでは、外部から入力された画像信号（画素位置データと輝度データ）に応じて、画素選択手段１０４が画素位置信号を出力し、シフトレジスタ１０９および１１０が画素位置に対応するデータ線とゲート線を選択する。例えば、ゲート線１１６とデータ線１１１を選択すると、交点にあたる画素１１７が選択される。同時に、輝度信号発生回路１０２は、入力された輝度データに相当するアナログ電圧を、各画素に対応する変換データ（輝度データ１０と輝度データ２５０）から計算して、輝度信号線１１２に供給する。たとえば、行＝０、列＝０の画素で、入力された輝度データが１５０の場合、２．１７Ｖ（＝１＋（３−１）／（２５０−１０）×（１５０−１０））となる。輝度信号線１１２の輝度信号は、画素選択回路１０４により選択されたデータ線１１１に供給される。一方、選択された画素１１７では、画素選択トランジスタ１３１がオン状態になって、データ線１１１上の輝度信号によりキャパシタ１３０が充電され、その後、画素選択トランジスタ１３１がオフ状態になることにより前記電圧が保持される。キャパシタ１３０の電圧によって定電流回路である駆動トランジスタ１１８の電流が制御され、駆動電流がＥＬ素子１１５に印加される。ＥＬ素子１１５は、駆動電流の電流量に応じた発光量で発光する。
【００１５】
なお、本実施例では、輝度データは０および１０〜２５０の範囲しかとらないため、変換データとして輝度データ１０と輝度データ２５０の変換値を用いているが、変換データとしてどの輝度データを用いるかは、輝度データの数値範囲により適宜選択可能である。本実施例では、補間に線形補間を用いることから、図4のように輝度データに対して駆動電流（キャパシタ印加電圧に比例）がリニアな特性をもつ領域の下限値と上限値に相当する輝度データを選択することが望ましいが、非線形補正を用いることにより非線形特性をもつ領域を利用することも可能である。
【００１６】
次に、補正モードの動作について説明する。なお、ＥＬ表示パネル１０８内の構成部品の動作は通常モードと同じであるため、説明を省略する。はじめに、輝度信号線１１２に０Ｖの輝度信号を与え、各画素の選択トランジスタ１３１を画素選択回路１０４により順次選択して、ＥＬ表示パネル１０８の全てのキャパシタ１３１を初期化する。初期化が終わった状態で、電流計１０１に流れる電流をデータ処理装置１０５のメモリに記録する。次に、画素選択回路１０４によって測定する測定画素１１７を選択する。このとき、輝度信号発生回路１０２から輝度データ１０に相当するアナログ電圧が輝度信号線１１２に印加される。このとき、電流計１０１に流れる電流をデータ処理装置１０５のメモリに記録する。メモリに記録されたＥＬ素子１１５駆動前の電流と駆動後の電流の差をとることによって、測定画素１１７の駆動電流Ｉｍｉｎ１を求めることができる。このとき、図８に示すようにＩｍｉｎ１が予め設定された電流値Ｉｍｉｎ０の８割しかない場合には、輝度信号発生回路１０２の輝度データ１０の変換データを１．２５倍（＝１／０．８）する。
【００１７】
次に輝度信号発生回路１０２が輝度信号線１１２に０Ｖを与えて、キャパシタ１３０を放電する。キャパシタ１３０が完全に放電する、すなわち、キャパシタ１３０の電圧が駆動トランジスタ１１８のスレッショルド電圧になるまで放電を行うと時間がかかるため、スレッショルド電圧まで放電する前に当該画素の画素選択トランジスタ１３１をオフにして、次の測定画素に対して同様の測定を行う。このとき、画素１１７のキャパシタ１３０の残留電位により画素１１７の駆動トランジスタ１１８には、所定電流が流れ続けるため、次の測定画素のＥＬ素子を駆動する前に、電流計１０１に流れる電流をデータ処理装置１０５のメモリに記録しておき、駆動時の電流との差をとることによって、次の測定画素の駆動電流を求める。このように測定画素のキャパシタが完全に放電する前に、次の画素の測定を開始することにより、変換データを高速に決定することができる。
【００１８】
測定が必要な画素について輝度データ１０の測定が終了した後、パネルを初期化する。そして、同様なプロセスで輝度データ２５０に関する測定および変換データ決定を行う。すなわち、図８に示すように、輝度データ２５０に相当する輝度信号をキャパシタ１３１に印加したときの駆動電流Ｉｍａｘ１を求め、予め設定された電流値Ｉｍｉｎ１と比較して輝度信号発生回路１０２の輝度データ２５０の変換値を修正する。このようにして、図８の実線で示す特性をもつ画素を、破線で示すような所定の特性に補正することができる。
【００１９】
図２に、本実施例における電流計１０１の測定ポイントを示す。図において４０１・４０２・４０３・４０４は測定画素のＥＬ素子に駆動電流を流す前に電流計１０１に流れる電流であり、４１１・４１２・４１３・４１４は測定画素のＥＬ素子を駆動した状態における駆動電流である。このように測定画素の測定後、キャパシタＣ１の放電を完全に行わずに次の画素の測定を行うため、測定画素のＥＬ素子を駆動する前の状態の電流計１０１に流れる電流は次第に増加していく。      
【００２０】
各画素ごとにキャパシタの放電特性が異なるため、厳密には電流の増加量は一定ではないが、輝度や駆動電流のばらつき補正のための測定に十分な測定および補正精度が維持できればよいため、電流増加量を一定とみなしても実用上の問題は生じない。このため、本実施例の表示装置においては、測定前の電流を画素毎に実測せずに、数画素毎に測定前電流を測定し、直近の実測駆動電流から線形補間して測定画素の測定前電流を求めるモードを有する。このモードを選択すると、例えば、駆動電流値４０１を測定した後は、駆動電流値４０４の測定まで、測定画素のＥＬ素子駆動前の表示パネル１０８に流れる駆動電流の実測を行わず、データ処理装置１０５が差分算出を行う段階で、駆動電流値４０１・４０４の実測値から駆動電流値４０２・４０３を補間して求める。このように、測定画素の非駆動時の電流の測定回数を減らすことにより、さらに高速に変換データを決定することができる。
【００２１】
本実施例では、表示装置内に測定手段および変換データ決定手段を有するため、装置製造時のみならず使用時にも適宜測定を行って駆動電流のばらつきを補正することができる。このため、表示パネル１０８の各画素１０７ごとにカレントミラー回路などの自己補正回路を設けるといった、ばらつき補正手段を設ける必要がないため、装置構成が簡略化でき、安価な装置を提供することができる。
【００２２】
また、本実施例の制御部１００を表示装置から分離して、独立した測定器とすることができる。この場合には、通常表示時に使用する輝度信号発生回路１０２、電源１０３、画素選択回路１０４は表示装置に、変換データ決定時に使用する輝度信号発生回路１０２、電源１０３、画素選択回路１０４は測定器に設ける。測定器の構成・動作は上述した補正モードと同様であるが、測定によって決定された変換データを外部接続された表示装置に内蔵された輝度信号発生回路に送信する必要があるため、測定器の輝度信号発生回路１０２に出力装置を設ける必要がある。
【００２３】
上述したような測定画素のＥＬ素子を駆動する前と駆動中の測定値の差分を求める方法は、特許文献１で示したような輝度のみを直接測定する方法にも適用できる。図５は本実施例の表示装置に付加する輝度測定装置の概要を示した図である。図１の装置構成に加え、ＥＬ表示パネル１０８上を走査する輝度センサ１２１、輝度センサ１２１に接続されセンサ１２１からの出力信号から輝度を検出する輝度検出回路１２２、およびセンサ１２１の動作を司るセンサ制御回路１２３が付加される。センサ１２１の周囲には遮光手段１２０を設け、センサ１２１が測定画素近傍の画素からの光のみを検知できるような構成となっている。
【００２４】
輝度測定を付加した装置の動作を説明する。輝度測定以外の動作は前述した装置と同じであるため、説明を省略する。まず、センサ制御回路１２３がセンサ１２１を測定画素上に移動させる。そして、測定画素１１７の駆動前に輝度を測定してデータ処理装置１０５のメモリに記憶する。次に輝度データ１０と輝度データ２５０に相当する駆動電流で測定画素１１７のＥＬ素子１１５を駆動し、駆動時の輝度を測定し、輝度信号発生回路１０２の変換データを補正する。そして、測定画素１１７のキャパシタ１３０を放電し、完全に放電する前に次の画素の測定を順次行う。
【００２５】
また、図３のように、測定画素の駆動電流や発光輝度が定常状態に達する前であって、駆動電流印加開始から所定時間後に、各画素の駆動電流または発光輝度を測定することによって、より高速に変換データの決定を行うことができる。この場合、定常状態における正確な駆動電流や発光輝度は測定できないが、電流印加開始から所定時間後の駆動電流・発光輝度と、定常状態における駆動電流・発光輝度とは比例関係にあるため、過渡状態にあるときの測定値を用いて変換データの補正を行うことができる。
【００２６】
なお、上述した本実施例およびその変形例は、特許請求の範囲に記載した本発明の説明のための一実施形態にすぎず、特許請求の範囲で示した権利範囲内において種々の変形を行うことができることは、当業者にとって明らかである。
【００２７】
最後に、本発明の代表的な実施態様を以下に示す。
（実施態様１）
キャパシタと、前記キャパシタの電圧により電流または電圧の制御を行う駆動回路と、前記駆動回路により駆動する自己発光素子とを有する複数の画素をマトリクス状に配置した表示パネルと、
輝度データを変換データに基づいて変換したアナログ電圧を前記キャパシタに与える輝度信号発生手段とを有する表示装置の前記変換データの決定方法であって、
測定画素以外の画素の前記キャパシタが完全に放電していない時の、前記表示パネルの発光素子の第１の駆動電流を求める第１測定ステップと、
前記測定画素のキャパシタを前記アナログ電圧に充電する充電ステップと、
前記測定画素のキャパシタが前記アナログ電圧に充電している時に、前記表示パネルの発光素子の第２の駆動電流を測定する第２測定ステップと、
前記第１の駆動電流と前記第２の駆動電流の差から、前記測定画素の駆動電流を求める駆動電流算出ステップと、
前記駆動電流に基づいて前記変換データを求めるデータ算出ステップと、
を有することを特徴とする表示パネルの変換データ決定方法。
【００２８】
（実施態様２）
前記自己発光素子がＥＬ素子であることを特徴とする実施態様１記載の変換データ決定方法。
【００２９】
（実施態様３）
所定画素数を測定する毎に前記第１測定ステップを実行するとともに、
前記測定画素の直前および直後に前記第１測定ステップにより実測した駆動電流から補間して、前記測定画素の第１の駆動電流を求めることを特徴とする実施態様１または実施態様２記載の方法。
【００３０】
（実施態様４）
キャパシタと、前記キャパシタの電圧により電流または電圧の制御を行う駆動回路と、前記駆動回路により駆動する自己発光素子とを有する複数の画素をマトリクス状に配置した表示パネルと、
任意の測定画素を選択する選択手段と、
輝度データを変換データに基づいて変換したアナログ電圧を前記キャパシタに与える輝度信号発生手段と、
前記複数の画素の発光素子の駆動電流を測定する測定手段と、
測定画素以外の画素の前記キャパシタが完全に放電していない時の前記複数の画素の前記発光素子の第１の駆動電流と、前記測定画素のキャパシタを前記アナログ電圧に充電した時の前記複数の画素の前記発光素子の第２の駆動電流の差に基づいて、前記変換データを求める変換データ決定手段と、
を有することを特徴とする表示装置。
【００３１】
（実施態様５）
キャパシタと、前記キャパシタの電圧により電圧または電流の制御を行う駆動回路と、前記駆動回路により駆動する自己発光素子とを有する複数の画素をマトリクス状に配置した表示パネルの測定装置であって、
任意の測定画素を選択する選択手段と、
輝度データを変換データに基づいて変換したアナログ電圧を前記キャパシタに与える輝度信号発生手段と、
前記複数の画素の発光素子の駆動電流を測定する測定手段と、
測定画素以外の画素の前記キャパシタが完全に放電していない時の前記複数の画素の前記発光素子の第１の駆動電流と、前記測定画素のキャパシタを前記アナログ電圧に充電した時の前記複数の画素の前記発光素子の第２の駆動電流の差に基づいて、前記変換データを求める変換データ決定手段と、
前記変換データを出力する出力手段と、
を有することを特徴とする表示パネルの測定装置。
【００３２】
（実施態様６）
キャパシタと、前記キャパシタの電圧により電圧または電流の制御を行う駆動回路と、前記駆動回路により駆動する自己発光素子とを有する複数の画素をマトリクス状に配置した表示パネルと、
輝度データを変換データに基づいて変換したアナログ電圧を前記キャパシタに与える輝度信号発生手段とを有する表示装置の前記変換データの決定方法であって、
測定画素以外の画素の前記キャパシタが完全に放電していない時の、前記表示パネルの第１の発光輝度を求める第１測定ステップと、
前記測定画素のキャパシタを前記アナログ電圧に充電する充電ステップと、
前記測定画素のキャパシタが前記アナログ電圧に充電している時に、前記表示パネルの第２の発光輝度を測定する第２測定ステップと、
前記第１の発光輝度と前記第２の発光輝度の差から、前記測定画素の発光輝度を求める発光輝度算出ステップと、
前記発光輝度に基づいて前記変換データを求めるデータ算出ステップと、
を有することを特徴とする表示パネルの変換データ決定方法。
【００３３】
（実施態様７）
ＴＦＴアレイと自己発光素子とを有する表示パネルと、
輝度データを変換データに基づいて変換して輝度信号を発生する輝度信号発生手段と、
前記輝度信号により前記自己発光素子を駆動する駆動手段と、
前記ＴＦＴアレイの発光素子の駆動電流および発光輝度のいずれかまたは両方を測定する測定手段とを有する表示パネルの前記変換データの決定方法であって、
測定画素の前記自己発光素子を駆動するステップと、
前記測定画素の駆動電流または発光輝度が定常状態に達する前に前記測定を行うステップと、
前記測定の結果に基づいて前記変換データを決定するステップとを有することを特徴とする表示パネルの変換データ決定方法。
【００３４】
（実施態様８）
ＴＦＴアレイと自己発光素子とを有する表示パネルと、
輝度データを変換データに基づいて変換して輝度信号を発生する輝度信号発生手段と、
前記輝度信号により前記自己発光素子を駆動する駆動手段と、
前記ＴＦＴアレイの発光素子の駆動電流および発光輝度のいずれかまたは両方を測定する測定手段と、
前記測定の結果に基づいて前記変換データを決定する変換データ決定手段とを有することを特徴とする表示装置。
【図面の簡単な説明】
【００３５】
【図１】本発明の実施例である測定装置の全体図である。
【図２】実施例の測定ポイントを示す図である。
【図３】測定ポイントの変形例を示す図である。
【図４】測定輝度の説明図である。
【図５】輝度センサの制御方法を示す図である。
【図６】ＥＬ素子の等価回路を示す図である。
【図７】輝度信号発生回路の変換データを示す図である。
【図８】変換データの決定方法を示す図である。
【符号の説明】
【００３６】
１００    制御部
１０１    電流計
１０２    輝度信号発生回路
１０３    電源
１０４    画素選択回路
１０５    データ処理装置
１０８    ＥＬ表示パネル
１１７    画素
１２１    センサ
１２２    輝度検出回路
１２３    センサ制御回路
【図１】
2005084260.tif 000003
【図２】
2005084260.tif 000004
【図３】
2005084260.tif 000005
【図４】
2005084260.tif 000006
【図５】
2005084260.tif 000007
【図６】
2005084260.tif 000008
【図７】
2005084260.tif 000009
【図８】
2005084260.tif 000010